(57)【要約】【課題】Ｗｅｂ情報をサイト単位で検索者に提供し、検索結果に関連し、更新度合いの高いＷｅｂページを検索者に提示する。【解決手段】Ｗｅｂページ集合を収集し（Ｓ１）、このページ集合をから推定したトップページおよびこれにリンクされたページからなるサイトＤＢを作成し、および各ページのファイルのリンク数とファイルサイズと文書ベクトルを保存したページＤＢを作成しておく（Ｓ２）。サイトおよびページの更新度合いを判定し、判定結果を前記サイト単位に保存およびページ単位に保存しておく（Ｓ３，Ｓ４）。検索者により検索要求でサイトＤＢを検索し、サイトのトップページおよびこれにリンクするヒットページの提示と、更新が判定されたページへのリンクを提示、または更新が判定されたサイトを提示する（Ｓ６，Ｓ７）。【選択図】  図１
2004264929.tif 000002
【特許請求の範囲】
【請求項１】
Ｗｅｂ情報をサイト単位で検索者に提供し、検索結果に関連し、更新度合いの高いＷｅｂページを検索者に提示するためのＷｅｂ情報の提供システムであって、
ＷＷＷ上のＷｅｂページ集合から推定したトップページおよびこのトップページからリンクされたページからなるサイトＤＢを作成し、および各ページのファイルのリンク数とファイルサイズと文書ベクトルを保存したページＤＢを作成しておく手段と、
前記サイトＤＢのページの更新要求があったときに、当該ページの更新を行う手段と、
前記サイトＤＢのサイトおよびページが更新されたか否かを判定し、判定結果を前記サイト単位に保存およびページ単位に保存しておく手段と、
検索者により検索要求されたとき、前記サイトＤＢを検索し、サイトのトップページおよびこれにリンクするヒットページの提示と、前記更新が判定されたページへのリンクを提示、または更新が判定されたサイトを提示する手段と、
を備えたことを特徴とするＷｅｂ情報の提供システム。
【請求項２】
前記ページの更新は、前記サイトＤＢのファイルのリンク数とファイルサイズと文書ベクトルと、前記ページＤＢに保存しておいたファイルのリンク数とファイルサイズと文書ベクトルとから、次式で求める更新量、
【数１】
2004264929.tif 000003
ただし、Ｌはリンク数の増分、Ａは更新後のリンク数、Ｍはファイルサイズの増分、Ｓは更新後のファイルサイズ、Ｎは文書ベクトルの非類似度、α、β、γは０以上１以下の実数かつα＋β＋γ＝１を満たす値とする。
が閾値を越えたか否かで判定する手段を備えたことを特徴とする請求項１に記載のＷｅｂ情報の提供システム。
【請求項３】
前記サイトの更新は、更新前後のサイト内のファイル名リストを比較し、両方のリストに出現するファイル数を更新後のファイル数で割ったファイル数の比率から判定、またはサイト内のファイルのうち、更新されたファイル数から判定する手段を備えたことを特徴とする請求項１に記載のＷｅｂ情報の提供システム。
【請求項４】
Ｗｅｂ情報をサイト単位で検索者に提供し、検索結果に関連し、更新度合いの高いＷｅｂページを検索者に提示するためのＷｅｂ情報の提供方法であって、
ＷＷＷ上のＷｅｂページ集合から推定したトップページおよびこのトップページからリンクされたページからなるサイトＤＢを作成し、および各ページのファイルのリンク数とファイルサイズと文書ベクトルを保存したページＤＢを作成しておく過程と、
前記サイトＤＢのページの更新要求があったときに、当該ページの更新を行う過程と、
前記サイトＤＢのサイトおよびページが更新されたか否かを判定し、判定結果を前記サイト単位に保存およびページ単位に保存しておく過程と、
検索者により検索要求されたとき、前記サイトＤＢを検索し、サイトのトップページおよび同一サイトに属するヒットページの提示と、サイト運営者があらかじめ選択したサイトの更新情報ページへのリンクを提示、またはそのサイトに更新があったことを提示する過程と、
を備えたことを特徴とするＷｅｂ情報の提供方法。
【請求項５】
前記ページの更新は、前記サイトＤＢのファイルのリンク数とファイルサイズと文書ベクトルと、前記ページＤＢに保存しておいたファイルのリンク数とファイルサイズと文書ベクトルとから、次式で求める更新量、
【数２】
2004264929.tif 000004
ただし、Ｌはリンク数の増分、Ａは更新後のリンク数、Ｍはファイルサイズの増分、Ｓは更新後のファイルサイズ、Ｎは文書ベクトルの非類似度、α、β、γは０以上１以下の実数かつα＋β＋γ＝１を満たす値とする。
が閾値を越えたか否かで判定する過程を備えたことを特徴とする請求項４に記載のＷｅｂ情報の提供方法。
【請求項６】
前記サイトの更新は、更新前後のサイト内のファイル名リストを比較し、両方のリストに出現するファイル数を更新後のファイル数で割ったファイル数の比率から判定、またはサイト内のファイルのうち、更新されたファイル数から判定する過程を備えたことを特徴とする請求項４に記載のＷｅｂ情報の提供方法。
【請求項７】
上記の請求項４〜６のいずれか１項に記載のＷｅｂ情報の提供方法を、コンピュータプログラムで記載してそれを実行可能にしたことを特徴とするプログラム。
【請求項８】
上記の請求項４〜６のいずれか１項に記載のＷｅｂ情報の提供方法を、コンピュータで実行可能に記載したプログラムを記録したことを特徴とする記録媒体。
【発明の詳細な説明】
【０００１】
【発明の属する技術分野】
本発明は、ＷＷＷ（ワールド・ワイド・ウェブ）上のＷｅｂ情報をサイト単位で検索者に提供するためのＷｅｂ情報の提供システムおよび方法に係り、特に検索結果に関連し、更新度合いの高いＷｅｂページを検索者に提示する提示機能に関する。
【０００２】
【従来の技術】
ＷＷＷは、Ｗｅｂページ集合をリンク関係を持たせたハイパーメディア情報として蓄積しており、検索者はＵＲＬ（ユニバーサル・リソース・ロケータ）で規定されるＷｅｂサーバにたどり着き、Ｗｅｂページの検索とそのリンク関係を辿ることで目的とするページ集合の情報を取得することができる。
【０００３】
上記のＵＲＬが不明な場合や検索範囲を拡張する場合のＷｅｂ情報の提供システムとして、検索エンジンを利用したサービスがある。検索エンジンは、Ｗｅｂページを自動収集するロボットにより、ハイパーテキストのリンクを辿りながら多数のＷｅｂページを収集することでデータベースを構築しておき、収集したＷｅｂページの情報を検索者にサービス提供している。
【０００４】
上記のＷｅｂ情報提供システムが提供するＷｅｂサイトにおいて、その内容が更新されたか否かの表示がない場合、検索者は、一度検索し、参照したサイトの内容が前回の訪問から更新されているかが分からず、再度訪問する意欲を喪失してしまう。これでは、サイト運営上で情報の提供効果が上がらないし、検索者は有効な情報取得機会を逸してしまう問題があった。
【０００５】
このようなシステムに対して、Ｗｅｂ情報の更新時期を提示しようとするシステムがある（例えば、下記の非特許文献１または非特許文献２参照）。
【０００６】
このうち、ｆｒｅｓｈｅｙｅは、ファイルのタイムスタンプを見て、その順に結果を表示する機能を有し、また、更新が比較的最近発生した情報のみを検索する新着検索機能を有する。
【０００７】
アドワーズ広告は、サイト運営者が検索結果に関わりなく、検索キーワードの情報にマッチする場合にのみ、自サイトの情報を表示することで、検索者の目を引き、自サイトへ誘導する効果を目論むことができる。
【０００８】
【非特許文献１】
ｆｒｅｓｈｅｙｅ、平成１５年１月７日検索、（インターネットＵＲＬ：ｈｔｔｐ：／／ｗｗｗ．ｆｒｅｓｈｅｙｅ．ｃｏ．ｊｐ／）
【０００９】
【非特許文献２】
アドワーズ広告、平成１５年１月７日検索、（インターネットＵＲＬ：ｈｔｔｐｓ：／／ａｄｗｏｒｄｓ．ｇｏｏｇｌｅ．ｃｏ．ｊｐ／ｓｅｌｅｃｔ／）
【００１０】
【発明が解決しようとする課題】
しかし、ｆｒｅｓｈｅｙｅは、ファイルのタイムスタンプ情報のみを見ているため、そのファイルに対する更新がどの程度大きいものであるかが分からない。また、サイト全体がどの程度更新されたかを判断できない。結果的にサイトの無駄な訪問になったり、サイトの情報提供効果を上げるのが難しかった。
【００１１】
一方、アドワーズ広告は、検索者に対して、検索結果に関係なく検索キーワードにマッチする自サイトの情報を提示することになり、検索結果との間に関連がない場合には、検索者には不要で紛らわしい情報提供になる。
【００１２】
本発明の目的は、上記の課題を解決したＷｅｂ情報の提供システム、提供方法、この方法のプログラムおよびこのプログラムを記録した記録媒体を提供することにある。
【００１３】
【課題を解決するための手段】
本発明は、前記の課題を解決するため、サイトの更新度合いを判定および更新量を基にしたページの更新度合いを判定しておき、検索結果の提示に際してそれに関連し、かつ更新度合いの高いサイトおよびページを提示するようにしたもので、以下のシステム、方法、プログラムおよび記録媒体を特徴とする。
【００１４】
（システムの発明）
（１）Ｗｅｂ情報をサイト単位で検索者に提供し、検索結果に関連し、更新度合いの高いＷｅｂページを検索者に提示するためのＷｅｂ情報の提供システムであって、
ＷＷＷ上のＷｅｂページ集合から推定したトップページおよびこのトップページからリンクされたページからなるサイトＤＢを作成し、および各ページのファイルのリンク数とファイルサイズと文書ベクトルを保存したページＤＢを作成しておく手段と、
前記サイトＤＢのページの更新要求があったときに、当該ページの更新を行う手段と、
前記サイトＤＢのサイトおよびページが更新されたか否かを判定し、判定結果を前記サイト単位に保存およびページ単位に保存しておく手段と、
検索者により検索要求されたとき、前記サイトＤＢを検索し、サイトのトップページおよびこれにリンクするヒットページの提示と、前記更新が判定されたページへのリンクを提示、または更新が判定されたサイトを提示する手段と、
を備えたことを特徴とする。
【００１５】
（２）前記ページの更新は、前記サイトＤＢのファイルのリンク数とファイルサイズと文書ベクトルと、前記ページＤＢに保存しておいたファイルのリンク数とファイルサイズと文書ベクトルとから、次式で求める更新量、
【００１６】
【数３】
更新量Ｕ＝αＬ／Ａ＋βＭ／Ｓ＋γＮ
ただし、Ｌはリンク数の増分、Ａは更新後のリンク数、Ｍはファイルサイズの増分、Ｓは更新後のファイルサイズ、Ｎは文書ベクトルの非類似度、α、β、γは０以上１以下の実数かつα＋β＋γ＝１を満たす値とする。
が閾値を越えたか否かで判定する手段を備えたことを特徴とする。
【００１７】
（３）前記サイトの更新は、更新前後のサイト内のファイル名リストを比較し、両方のリストに出現するファイル数を更新後のファイル数で割ったファイル数の比率から判定、またはサイト内のファイルのうち、更新されたファイル数から判定する手段を備えたことを特徴とする。
【００１８】
（方法の発明）
（４）Ｗｅｂ情報をサイト単位で検索者に提供し、検索結果に関連し、更新度合いの高いＷｅｂページを検索者に提示するためのＷｅｂ情報の提供方法であって、
ＷＷＷ上のＷｅｂページ集合から推定したトップページおよびこのトップページからリンクされたページからなるサイトＤＢを作成し、および各ページのファイルのリンク数とファイルサイズと文書ベクトルを保存したページＤＢを作成しておく過程と、
前記サイトＤＢのページの更新要求があったときに、当該ページの更新を行う過程と、
前記サイトＤＢのサイトおよびページが更新されたか否かを判定し、判定結果を前記サイト単位に保存およびページ単位に保存しておく過程と、
検索者により検索要求されたとき、前記サイトＤＢを検索し、サイトのトップページおよび同一サイトに属するヒットページの提示と、サイト運営者があらかじめ選択したサイトの更新情報ページへのリンクを提示、またはそのサイトに更新があったことを提示する過程と、
を備えたことを特徴とする。
【００１９】
（５）前記ページの更新は、前記サイトＤＢのファイルのリンク数とファイルサイズと文書ベクトルと、前記ページＤＢに保存しておいたファイルのリンク数とファイルサイズと文書ベクトルとから、次式で求める更新量、
【００２０】
【数４】
更新量Ｕ＝αＬ／Ａ＋βＭ／Ｓ＋γＮ
ただし、Ｌはリンク数の増分、Ａは更新後のリンク数、Ｍはファイルサイズの増分、Ｓは更新後のファイルサイズ、Ｎは文書ベクトルの非類似度、α、β、γは０以上１以下の実数かつα＋β＋γ＝１を満たす値とする。
が閾値を越えたか否かで判定する過程を備えたことを特徴とする。
【００２１】
（６）前記サイトの更新は、更新前後のサイト内のファイル名リストを比較し、両方のリストに出現するファイル数を更新後のファイル数で割ったファイル数の比率から判定、またはサイト内のファイルのうち、更新されたファイル数から判定する過程を備えたことを特徴とする。
【００２２】
（プログラムの発明）
（７）上記の（４）〜（６）のＷｅｂ情報の提供方法を、コンピュータプログラムで記載してそれを実行可能にしたことを特徴とするプログラム。
【００２３】
（記録媒体の発明）
（８）上記の（４）〜（６）のＷｅｂ情報の提供方法を、コンピュータで実行可能に記載したプログラムを記録したことを特徴とする。
【００２４】
【発明の実施の形態】
図１は、本発明の実施形態を示す全体処理手順であり、事前処理サーバによりＷｅｂサイトおよびＷｅｂページの更新情報を事前に取得しておき、検索者による検索要求に対して、検索エンジンによる検索結果提示とそれに関連し、かつ大幅に更新されたサイトおよびページ情報提示を行うもので、以下、各処理を詳細に説明する。
【００２５】
（１）事前処理
（Ｓ１）まず、事前処理サーバにより、大量Ｗｅｂページを収集し、ＷｅｂページＤＢ（データベース）を作成する。
【００２６】
（Ｓ２）収集したＷｅｂページをサイト別に分け、サイトＤＢおよびページＤＢを作成する。このサイト分けは、大量Ｗｅｂページ集合から、Ｗｅｂサイトのトップページを推定し、この推定トップページと、それにリンクされたページからサイト集合を決定する。
【００２７】
これらトップページ推定とサイト集合決定には、例えば、本願出願人が既に提案している方法を利用することができる（例えば、特願２００１−３８９４４７、特願２００１−３８９４４８）。
【００２８】
トップページ推定は、検索したＷｅｂページをサーバ別に分類しておき、メタ情報とページタイプからページクラスを抽出したページ分類木を獲得しておき、この分類木を基に各ページのページタイプの分類尤度を抽出しておき、同じサーバに属するページについて、ディレクトリ階層が０に位置するページを最優先でトップページとして推定し、階層０にトップページが存在しない場合にはトップページタイプの分類尤度を基にトップページが存在するディレクトリ階層を決定し、このディレクトリ階層に所属して下位階層にファイルが存在し、かつページタイプへの分類尤度が最大さらには閾値以上のページをトップページとして推定する。
【００２９】
また、サイト集合の決定は、検索したＷｅｂページ集合の各ページ、リンクについてメタ情報とリンク分類木を利用してリンクの各リンクタイプへの分類尤度を獲得しておき、さらにメタ情報とページタイプからページクラスを抽出したページ分類木を獲得して各ページのページタイプの分類尤度を抽出しておき、その後、Ｗｅｂページが属する全てのサーバについて、上記の分類尤度を基にしてＷｅｂサイトのトップページ候補集合を得てそれらの親ページを推定し、この推定でも親ページが未決のページ集合の中からディレクトリの最も浅い階層に存在しかつトップページ、インデックスページ、メニューページ尤度の和が最大のページをトップページ候補としてそれらの親ページを推定し、これら推定した親ページとこれにリンクするページ集合をサイト集合とする。
【００３０】
サイトＤＢには、必要に応じてサイト毎にファイル名リストを保存しておく。さらに、ファイル毎にその更新の有無を示す更新フラグを設けておく。
【００３１】
ページＤＢには、収集した全ページについて、動画／画像等のマルチメディアファイルへのリンク数、ファイルサイズ（テキストの量、Ｂｙｔｅ数）、またはタグを除いたファイルサイズ、文書ベクトルを保存しておく。さらに、ページ毎に、その更新の有無を示す更新フラグを設けておく。
【００３２】
なお、文書ベクトルとは、文書に各単語が出現した場合に、その出現数等で対応する各次元に大きさを与え、当該文書をベクトル表現したものである。
【００３３】
（Ｓ３）一定周期または適当な時期に、各サイト毎に全ページの更新の有無チェックを行う。この更新有無チェックの詳細を図２に示す。
【００３４】
図２において、サイトＤＢに収集した全ページについて、まず、画像等のマルチメディアファイルへのリンク数、ファイルサイズ（テキストの量、Ｂｙｔｅ数）、文書ベクトルをそれぞれ変数に保存する（Ｓ３１）。
【００３５】
次に、当該ページ毎に、ページＤＢに保存しておいた画像等のマルチメディアファイルのリンク数、ファイルサイズ、文書ベクトルを得、これら値と処理Ｓ３１で得た変数の値との差分を別の変数に格納する（Ｓ３２）。なお、差分は、リンク数とファイルサイズについては整数型とし、文書ベクトルについては非類似度｛１−（２つの文書ベクトルの余弦）｝とする。
【００３６】
次に、ページ毎に、上記の差分を基にページ更新量Ｕを計算する（Ｓ３３）。このページ更新量Ｕは、リンク数の増分とファイルサイズの増分及び文書ベクトルの非類似度から以下の式で求める。
【００３７】
【数５】
Ｕ＝αＬ／Ａ＋βＭ／Ｓ＋γＮ
ただし、Ｌはリンク数の増分、Ａは更新後のリンク数、Ｍはファイルサイズの増分、Ｓは更新後のファイルサイズ、Ｎは文書ベクトルの非類似度、α、β、γは０以上１以下の実数かつα＋β＋γ＝１を満たす値とする。なお、新規作成されたページの更新量Ｕは１としておく。
【００３８】
次に、上記式で求めたページ更新量Ｕがある閾値を越えているか否かをチェックし（Ｓ３４）、越えていればページＤＢの当該ページの更新フラグに「１」を格納し（Ｓ３５）、越えていなければ当該ページの更新フラグに「０」を格納する（Ｓ３６）。
【００３９】
以上までの処理を全ページに亙って行い、各ページ毎に大幅な更新があったか否かをページＤＢの各ページのフラグとして保存しておく。
【００４０】
（Ｓ４）各サイト毎にサイト更新チェックを行う。この更新チェックの詳細を図３に示す。
【００４１】
図３において、サイト化された全サイトについて、まず、サイトの更新量を計算する（Ｓ４１）。この計算は、例えば、更新前後のサイト内のファイル名リストを比較し、両方のリストに出現するファイル数を更新後のファイル数で割った値（ファイル数の比率）として求める。この計算方法では、ページ毎に更新量を計算する手間を省くことができる。他の計算方法としては、サイト内のファイルのうち、更新フラグが１のものの数として求める。なお、新規サイトの更新量は１とする。
【００４２】
次に、上記の処理Ｓ４１で求めたサイト更新量がある閾値を越えているか否かをチェックし（４２）、越えていればサイトＤＢの当該サイトの更新フラグに「１」を格納し（Ｓ４３）、越えていなければ当該サイトの更新フラグに「０」を格納する（Ｓ４４）。
【００４３】
以上までの処理を全サイトに亙って行い、各サイト毎に大幅な更新があったか否かをサイトＤＢの各サイトのフラグとして保存しておく。
【００４４】
なお、ページ更新チェック（Ｓ３）やサイト更新チェック（Ｓ４）に代えて、ページ更新要求があったときに、サイト運営者が前記のファイルサイズの増分、ファイル数の増分、リンク数の増分等から更新の有無をチェックし、フラグ設定しておくことでもよい。また、文書ベクトルの非類似度をサイト運営者で管理し、更新の有無は定期的に検索エンジンに通知するか、特定ファイルに更新情報を記述し、そのファイルをロボットに収集させることでもよい。
【００４５】
（２）サイト検索処理
（Ｓ６）検索者からの検索要求に応じて、検索エンジンによりサイトＤＢに対するサイト検索を行い、検索要求に適合している順番にサイト単位で出力する。このサイト検索には、例えば、本願出願人が既に提案している方法を利用することができる（例えば、特願２００１−３８９４４６）。
【００４６】
このサイト検索は、サイトＤＢを検索し、サイトのトップページを推定してページ単位にサイトＩＤとそのトップページのＵＲＬを得、さらにトップページとそれにリンクされたページからサイト単位の木構造を推定してページ単位のＵＲＬおよびそれが属するサイトＩＤ等を得る。検索要求への適合度合いは、ヒットしたページの単語の重みおよび木構造の深さから求める。
【００４７】
（Ｓ７）サイト検索結果を生成・表示する。この生成・表示処理の詳細を図４に示す。
【００４８】
図４において、検索結果として表示する各サイトに対して、まず、検索されたサイトのＩＤをキーとし、サイトＤＢを検索し、そのサイトの代表となるトップページＵＲＬと、更新情報の有無を意味するサイトとヒットページのフラグと、更新情報ページのＵＲＬを得る（Ｓ７１）。
【００４９】
次に、サイトのトップページＵＲＬと、これに関連するサイト内のヒットページＵＲＬへのリンクをＨＴＭＬとして出力する（Ｓ７２）。
【００５０】
次に、当該サイトのフラグをチェックし（Ｓ７３）、フラグが「１」であれば当該サイト内ページフラグから更新情報ページがあるか否かをチェックし（Ｓ７４）、更新情報ページがなければ当該サイトには更新有りを意味する画像などをＨＴＭＬとして出力し（Ｓ７５）、更新情報ページがあるときは当該更新情報ページへのリンク（ボタン等で表す）をＨＴＭＬとして出力する（Ｓ７６）。
【００５１】
図５は、サイト検索時の表示例を示し、検索条件を「紳士靴」とし、この条件に合ったサイトとして「Ａシューズショップ」と「Ｂ靴店」が検索されて表示され、「Ａシューズショップ」にはヒットページが表示され、さらに関連する更新情報ページがある場合として「一覧」と「Ｎｅｗ」のボタン表示を行う。検索者はこれらボタンをクリックすることで、「Ａシューズショップ」があらかじめ選択したページ「Ａ」や「Ｂ」が表示される。
【００５２】
したがって、検索には、通常の検索結果としてはヒットページを表示するが、これに加えて、更新度合いが大きいページについては更新情報ページへのリンクを表示し、更新度合いが小さいページについては更新があったことを表示する。同様に、更新度合いが大きいサイトと小さいサイトについても表示形態を変える。これにより、サイト運営者には検索者の関心を惹く自サイトのページの自動生成処理ができ、検索者には更新度合いの高い更新があったかどうかを検索結果から容易に知ることができる。
【００５３】
なお、本発明は、図１〜４に示した方法の一部又は全部の処理機能をプログラムとして構成してコンピュータを用いて実現することができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００５４】
【発明の効果】
以上のとおり、本発明によれば、サイトの更新度合いを判定および更新量を基にしたページの更新度合いを判定しておき、検索結果の提示に際してそれに関連し、かつ更新度合いの高いサイトおよびページを提示するようにしたため、検索者は検索結果にどの程度関連しかつそれが大幅に更新されているファイルであるかを容易に知ることができる。また、サイト全体がどの程度更新されたかを容易に知ることができる。
【図面の簡単な説明】
【図１】本発明の実施形態を示す全体処理手順図。
【図２】実施形態におけるページ更新の有無判定フロー。
【図３】実施形態におけるサイト更新の有無判定フロー。
【図４】実施形態における検索結果生成・表示処理フロー。
【図５】実施形態における検索結果表示例。
【図１】
2004264929.tif 000005
【図２】
2004264929.tif 000006
【図３】
2004264929.tif 000007
【図４】
2004264929.tif 000008
【図５】
2004264929.tif 000009